(57)【特許請求の範囲】
【請求項１】
(a1)下記を具備する、定められたバッテリー寿命を維持しながら無線デバイスにおいてシステムを獲得する方法：
(a2)定められた状態に入る時に、残っているバッテリーパワーのレベルを決定すること；および
(a3)前記無線デバイスが前記定められた状態にいる間、前記残っているバッテリーパワーのレベルが前記定められたバッテリー寿命の間持続するように、複数の獲得する試みのデューティサイクルを設定すること；
(a4)ここにおいて、前記デューティサイクルは、サーチ時間とスリープ時間を具備し、
(a5)フルスキャンとマイクロスキャンのうちの少なくとも１つは、前記サーチ時間の間に行われ、
(a6)前記無線デバイスは、前記フルスキャンまたは前記マイクロスキャンのどちらかを使用して、どの複数のチャネルに獲得を試みるかを決定するためのローミングリストを具備する、
(a7)ここにおいて、前記マイクロスキャンは、下記を具備する、
(a7-1)チャネルの無線周波数（ＲＦ）のパワーを決定すること、
(a7-2)前記チャネルの前記ＲＦのパワーが、所定のしきい値より下であるかどうかを決定すること、および
(a7-3)前記チャネルの前記ＲＦのパワーが前記所定のしきい値より下でない場合には、前記チャネルを介してサービスを獲得するように試みること。
【請求項２】
請求項１に記載の方法、ここにおいて前記デューティサイクルを前記決定することは、前記残っているバッテリーパワーのレベルが前記定められたバッテリー寿命の間持続するように、前記スリープ時間を前記サーチ時間と比較して調整することを具備している。
【請求項３】
請求項１に記載の方法、ここにおいて前記デューティサイクルを前記決定することは、前記残っているバッテリーパワーのレベルが前記定められたバッテリー寿命の間持続するように、前記サーチ時間を前記スリープ時間と比較して調整することを具備している。
【請求項４】
請求項１に記載の方法、ここにおいて前記デューティサイクルを前記決定することは、前記残っているバッテリーパワーのレベルが前記定められたバッテリー寿命の間持続するように、前記サーチ時間と前記スリープ時間の両方を調整することを具備している。
【請求項５】
請求項１に記載の方法、ここにおいて前記フルスキャンは下記を具備する：
１つまたは複数のチャネルの無線周波数（ＲＦ）のパワーを決定することなく、前記無線デバイス中に事前に格納された好ましいローミングリスト上の前記１つまたは複数のチャネルを介してサービスを獲得するように試みること。
【請求項６】
請求項５に記載の方法、ここにおいて前記好ましいローミングリスト上の前記１つまたは複数のチャネルは、前記無線デバイスへの近さに基づいて優先順位をつけられる。
【請求項７】
請求項５に記載の方法、ここにおいて前記好ましいローミングリスト上の前記１つまたは複数のチャネルは、前記無線デバイスによるそれの最近の使用に基づいて優先順位をつけられる。
【請求項８】
請求項１に記載の方法、ここにおいて前記ＲＦのパワーが決定される前記チャネルは、前記無線デバイス中に事前に格納された好ましいローミングリストに基づいて選択される。
【請求項９】
請求項８に記載の方法、ここにおいて前記好ましいローミングリスト上の１つまたは複数のチャネルは、前記無線デバイスへの近さに基づいて優先順位をつけられる。
【請求項１０】
請求項８に記載の方法、ここにおいて前記好ましいローミングリスト上の１つまたは複数のチャネルは、前記無線デバイスによるそれの最近の使用に基づいて優先順位をつけられる。
【請求項１１】
前記サーチ時間の間に、前記フルスキャンから前記マイクロスキャンに切り替えることを更に具備している、請求項１に記載の方法。
【請求項１２】
請求項１に記載の方法、ここにおいて前記定められた状態は、サービス外の状態である。
【請求項１３】
下記を具備する、定められたバッテリー寿命を維持しながら無線デバイスにおいてチャネルを獲得するための装置：
定められた状態に入る時に、残っているバッテリーパワーのレベルを決定するように構成されるパワー制御装置；および
前記無線デバイスが前記定められた状態にいる間、前記残っているバッテリーパワーのレベルが前記定められたバッテリー寿命の間持続するように、複数の獲得する試みのデューティサイクルを設定するように構成されるプロセッサ；
ここにおいて、前記デューティサイクルは、サーチ時間とスリープ時間を具備し、
フルスキャンとマイクロスキャンのうちの少なくとも１つは、前記サーチ時間の間に行われ、
前記無線デバイスは、前記フルスキャンまたは前記マイクロスキャンのどちらかを使用して、どの複数のチャネルに獲得を試みるかを決定するためのローミングリストを具備し、
ここにおいて、前記マイクロスキャンは、チャネルの無線周波数（ＲＦ）のパワーを決定し、前記チャネルの前記ＲＦのパワーが、所定のしきい値より下であるかどうかを決定し、そして前記チャネルの前記ＲＦのパワーが、前記所定のしきい値より下でない場合には、前記チャネルを介してサービスを獲得するように試みる。
【請求項１４】
請求項１３に記載の装置、前記残っているバッテリーパワーのレベルが前記所定のバッテリー寿命の間持続するように、前記スリープ時間を前記サーチ時間と比較して調整することによって前記デューティサイクルを決定している前記プロセッサ。
【請求項１５】
請求項１３に記載の装置、前記残っているバッテリーパワーのレベルが前記所定のバッテリー寿命の間持続するように、前記サーチ時間を前記スリープ時間と比較して調整することによって前記デューティサイクルを決定している前記プロセッサ。
【請求項１６】
請求項１３に記載の装置、前記残っているバッテリーパワーのレベルが前記所定のバッテリー寿命の間持続するように、前記サーチ時間と前記スリープ時間の両方を調整することによって前記デューティサイクルを決定している前記プロセッサ。
【請求項１７】
請求項１３に記載の装置、ここにおいて前記フルスキャンは、１つまたは複数のチャネルの無線周波数（ＲＦ）のパワーを決定することなく、前記無線デバイス中に事前に格納された好ましいローミングリスト上の前記１つまたは複数のチャネルを介してサービスを獲得するように試みる。
【請求項１８】
請求項１７に記載の装置、ここにおいて前記好ましいローミングリスト上の前記１つまたは複数のチャネルは、前記無線デバイスへの近さに基づいて優先順位をつけられる。
【請求項１９】
請求項１７に記載の装置、ここにおいて前記好ましいローミングリスト上の前記１つまたは複数のチャネルは、前記無線デバイスによるそれの最近の使用に基づいて優先順位をつけられる。
【請求項２０】
請求項１３に記載の装置、ここにおいて前記ＲＦのパワーが決定される前記チャネルは、前記無線デバイス中に事前に格納された好ましいローミングリストに基づいて選択される。
【請求項２１】
請求項２０に記載の装置、ここにおいて前記好ましいローミングリスト上の１つまたは複数のチャネルは、前記無線デバイスへの近さに基づいて優先順位をつけられる。
【請求項２２】
請求項２０に記載の装置、ここにおいて前記好ましいローミングリスト上の１つまたは複数のチャネルは、前記無線デバイスによるそれの最近の使用に基づいて優先順位をつけられる。
【請求項２３】
前記サーチ時間の間に、前記フルスキャンから前記マイクロスキャンに切り替えるためのプロセッサを更に具備している、請求項１３に記載の装置。
【請求項２４】
請求項１３に記載の装置、ここにおいて前記定められた状態は、サービス外の状態である。
【請求項２５】
下記を具備する、定められたバッテリー寿命を維持しながら無線デバイスにおいてチャネルを獲得するための装置：
定められた状態に入る時に、残っているバッテリーパワーのレベルを決定するための手段；および
前記無線デバイスが前記定められた状態にいる間に、前記残っているバッテリーパワーのレベルが前記定められたバッテリー寿命の間持続するように、複数の獲得する試みのデューティサイクルを設定するための手段；
ここにおいて、前記デューティサイクルは、サーチ時間とスリープ時間を具備し、
フルスキャンとマイクロスキャンのうちの少なくとも１つは、前記サーチ時間の間に行われ、
前記無線デバイスは、前記フルスキャンまたは前記マイクロスキャンのどちらかを使用して、どの複数のチャネルに獲得を試みるかを決定するためのローミングリストを具備し、
ここにおいて、前記マイクロスキャンは、チャネルの無線周波数（ＲＦ）のパワーを決定し、前記チャネルの前記ＲＦのパワーが、所定のしきい値より下であるかどうかを決定し、そして前記チャネルの前記ＲＦのパワーが、前記所定のしきい値より下でない場合には、前記チャネルを介してサービスを獲得するように試みる。
【請求項２６】
請求項２５に記載の装置、ここにおいてデューティサイクルを決定するための前記手段は、前記残っているバッテリーパワーのレベルが前記所定のバッテリー寿命の間持続するように、前記スリープ時間を前記サーチ時間と比較して調整するための手段を具備している。
【請求項２７】
請求項２５に記載の装置、ここにおいてデューティサイクルを決定するための前記手段は、前記残っているバッテリーパワーのレベルが前記所定のバッテリー寿命の間持続するように、前記サーチ時間を前記スリープ時間と比較して調整するための手段を具備している。
【請求項２８】
請求項２５に記載の装置、ここにおいてデューティサイクルを決定するための前記手段は、前記残っているバッテリーパワーのレベルが前記所定のバッテリー寿命の間持続するように、前記サーチ時間と前記スリープ時間の両方を調整するための手段を具備している。
【請求項２９】
請求項２５に記載の装置、ここにおいて前記フルスキャンは、１つまたは複数のチャネルの無線周波数（ＲＦ）のパワーを決定することなく、前記無線デバイス中に事前に格納された好ましいローミングリスト上の前記１つまたは複数のチャネルを介してサービスを獲得するように試みる。
【請求項３０】
請求項２９に記載の装置、ここにおいて前記好ましいローミングリスト上の前記１つまたは複数のチャネルは、前記無線デバイスへの近さに基づいて優先順位をつけられる。
【請求項３１】
請求項２９に記載の装置、ここにおいて前記好ましいローミングリスト上の前記１つまたは複数のチャネルは、前記無線デバイスによるそれの最近の使用に基づいて優先順位をつけられる。
【請求項３２】
請求項２５に記載の装置、ここにおいて前記ＲＦのパワーが決定される前記チャネルは、前記無線デバイス中に事前に格納された好ましいローミングリストに基づいて選択される。
【請求項３３】
請求項３２に記載の装置、ここにおいて前記好ましいローミングリスト上の１つまたは複数のチャネルは、前記無線デバイスへの近さに基づいて優先順位をつけられる。
【請求項３４】
請求項３２に記載の装置、ここにおいて前記好ましいローミングリスト上の１つまたは複数のチャネルは、前記無線デバイスによるそれの最近の使用に基づいて優先順位をつけられる。
【請求項３５】
前記サーチ時間の間に、前記フルスキャンから前記マイクロスキャンに切り替えるための手段を更に具備している、請求項２５に記載の装置。
【請求項３６】
請求項２５に記載の装置、ここにおいて前記定められた状態は、サービス外の状態である。
【請求項３７】
下記を具備する、定められたバッテリー寿命を維持しながら無線デバイスにおいてチャネルを獲得するためにその上に複数の命令を格納しているコンピュータ可読記録媒体：
定められた状態に入る時に残っているバッテリーパワーのレベルを決定すること；および
前記無線デバイスが前記定められた状態にいる間、前記残っているバッテリーパワーのレベルが前記定められたバッテリー寿命の間持続するように、複数の獲得する試みのデューティサイクルを設定すること；
ここにおいて、前記デューティサイクルは、サーチ時間とスリープ時間を具備し、
フルスキャンとマイクロスキャンのうちの少なくとも１つは、前記サーチ時間の間に行われ、
前記無線デバイスは、前記フルスキャンまたは前記マイクロスキャンのどちらかを使用して、どの複数のチャネルに獲得を試みるかを決定するためのローミングリストを具備し、
ここにおいて、前記マイクロスキャンは、チャネルの無線周波数（ＲＦ）のパワーを決定し、前記チャネルの前記ＲＦのパワーが、所定のしきい値より下であるかどうかを決定し、そして前記チャネルの前記ＲＦのパワーが、前記所定のしきい値より下でない場合には、前記チャネルを介してサービスを獲得するように試みる。
【請求項３８】
請求項３７に記載のコンピュータ可読記録媒体、ここにおいてデューティサイクルを前記決定することは、前記残っているバッテリーパワーのレベルが前記所定のバッテリー寿命の間持続するように、前記スリープ時間を前記サーチ時間と比較して調整することを具備している。
【請求項３９】
請求項３７に記載のコンピュータ可読記録媒体、ここにおいてデューティサイクルを前記決定することは、前記残っているバッテリーパワーのレベルが前記所定のバッテリー寿命の間持続するように、前記サーチ時間を前記スリープ時間と比較して調整することを具備している。
【請求項４０】
請求項３７に記載のコンピュータ可読記録媒体、ここにおいてデューティサイクルを前記決定することは、前記残っているバッテリーパワーのレベルが前記所定のバッテリー寿命の間持続するように、前記サーチ時間と前記スリープ時間の両方を調整することを具備している。
【請求項４１】
請求項３７に記載のコンピュータ可読記録媒体、ここにおいて前記フルスキャンは、１つまたは複数のチャネルの無線周波数（ＲＦ）のパワーを決定することなく、前記無線デバイス中に事前に格納された好ましいローミングリスト上の前記１つまたは複数のチャネルを介してサービスを獲得するように試みる。
【請求項４２】
請求項４１に記載のコンピュータ可読記録媒体、ここにおいて前記好ましいローミングリスト上の前記１つまたは複数のチャネルは、前記無線デバイスへの近さに基づいて優先順位をつけられる。
【請求項４３】
請求項４１に記載のコンピュータ可読記録媒体、ここにおいて前記好ましいローミングリスト上の前記１つまたは複数のチャネルは、前記無線デバイスによるそれの最近の使用に基づいて優先順位をつけられる。
【請求項４４】
請求項３７に記載のコンピュータ可読記録媒体、ここにおいて前記ＲＦのパワーが決定される前記チャネルは、前記無線デバイス中に事前に格納された好ましいローミングリストに基づいて選択される。
【請求項４５】
請求項４４に記載のコンピュータ可読記録媒体、ここにおいて前記好ましいローミングリスト上の１つまたは複数のチャネルは、前記無線デバイスへの近さに基づいて優先順位をつけられる。
【請求項４６】
請求項４４に記載のコンピュータ可読記録媒体、ここにおいて前記好ましいローミングリスト上の１つまたは複数のチャネルは、前記無線デバイスによるそれの最近の使用に基づいて優先順位をつけられる。
【請求項４７】
前記サーチ時間の間に、前記フルスキャンから前記マイクロスキャンに切り替えることを更に具備している、請求項３７に記載のコンピュータ可読記録媒体。
【請求項４８】
請求項３７に記載のコンピュータ可読記録媒体、ここにおいて前記状態は、サービス外の状態である。
【請求項４９】
定められたバッテリー寿命を維持しながら無線デバイスにおいてチャネルを獲得するために複数の命令を実行するように構成されるプロセッサ、前記複数の命令は下記を具備する：
定められた状態に入る時に、残っているバッテリーパワーのレベルを決定すること；および
前記無線デバイスが前記定められた状態にいる間、前記残っているバッテリーパワーのレベルが前記定められたバッテリー寿命の間持続するように、複数の獲得する試みのデューティサイクルを設定すること；
ここにおいて、前記デューティサイクルは、サーチ時間とスリープ時間を具備し、
フルスキャンとマイクロスキャンのうちの少なくとも１つは、前記サーチ時間の間に行われ、
前記無線デバイスは、前記フルスキャンまたは前記マイクロスキャンのどちらかを使用して、どの複数のチャネルに獲得を試みるかを決定するためのローミングリストを具備し、
ここにおいて、前記マイクロスキャンは、チャネルの無線周波数（ＲＦ）のパワーを決定し、前記チャネルの前記ＲＦのパワーが、所定のしきい値より下であるかどうかを決定し、そして前記チャネルの前記ＲＦのパワーが、前記所定のしきい値より下でない場合には、前記チャネルを介してサービスを獲得するように試みる。
【請求項５０】
請求項４９に記載のプロセッサ、ここにおいて前記デューティサイクルを決定するための前記複数の命令は、前記残っているバッテリーパワーのレベルが前記所定のバッテリー寿命の間持続するように、前記スリープ時間を前記サーチ時間と比較して調整することを具備している。
【請求項５１】
請求項４９に記載のプロセッサ、ここにおいて前記デューティサイクルを決定するための前記複数の命令は、前記残っているバッテリーパワーのレベルが前記所定のバッテリー寿命の間持続するように、前記サーチ時間を前記スリープ時間と比較して調整するための手段を具備している。
【請求項５２】
請求項４９に記載のプロセッサ、ここにおいて前記デューティサイクルを決定するための前記複数の命令は、前記残っているバッテリーパワーのレベルが前記所定のバッテリー寿命の間持続するように、前記サーチ時間と前記スリープ時間の両方を調整することを具備している。
【請求項５３】
請求項４９に記載のプロセッサ、ここにおいて前記フルスキャンは、１つまたは複数のチャネルの無線周波数（ＲＦ）のパワーを決定することなく、前記無線デバイス中に事前に格納された好ましいローミングリスト上の前記１つまたは複数のチャネルを介してサービスを獲得するように試みる。
【請求項５４】
請求項５３に記載のプロセッサ、ここにおいて前記好ましいローミングリスト上の前記１つまたは複数のチャネルは、前記無線デバイスへの近さに基づいて優先順位をつけられる。
【請求項５５】
請求項５３に記載のプロセッサ、ここにおいて前記好ましいローミングリスト上の前記１つまたは複数のチャネルは、前記無線デバイスによるそれの最近の使用に基づいて優先順位をつけられる。
【請求項５６】
請求項４９に記載のプロセッサ、ここにおいて前記ＲＦのパワーが決定される前記チャネルは、前記無線デバイス中に事前に格納された好ましいローミングリストに基づいて選択される。
【請求項５７】
請求項５６に記載のプロセッサ、ここにおいて前記好ましいローミングリスト上の１つまたは複数のチャネルは、前記無線デバイスへの近さに基づいて優先順位をつけられる。
【請求項５８】
請求項５６に記載のプロセッサ、ここにおいて前記好ましいローミングリスト上の１つまたは複数のチャネルは、前記無線デバイスによるそれの最近の使用に基づいて優先順位をつけられる。
【請求項５９】
請求項４９に記載のプロセッサ、ここにおいて前記複数の命令は、前記サーチ時間の間に前記フルスキャンから前記マイクロスキャンに切り替えることを更に具備している。
【請求項６０】
請求項４９に記載のプロセッサ、ここにおいて前記定められた状態は、サービス外の状態である。
【発明の詳細な説明】
【技術分野】
【０００１】
本開示は、一般に通信デバイスにおいてシステムを獲得することに関するものであり、そしてより明確には、通信デバイスにおいてバッテリー寿命を制御することに関するものである。
【背景技術】
【０００２】
モバイルデバイスのバッテリー性能は、異なる複数のオペレーショナルモード（operational modes）で費やされた時間の量に依存する。例えば、典型的なモバイルデバイスの複数のオペレーションモードは、複数のトラヒック状態（即ち、音声およびデータの送信）と複数のアイドル状態を含み、それはモバイルデバイスがサービス内またはサービス外にいる間であることができる。
【０００３】
モバイルデバイスがサービスを失う時は、サービスを再獲得する間に著しいパワーが消費される。再獲得は、それが使用可能であることも使用可能でないこともあり得るマルチプルな（multiple）複数のシステムを使用するためのマルチプルな複数の試みを要することができる。モバイルデバイスのバッテリー中に残こっているパワーレベルに依存して、モバイルデバイスは、バッテリーが死ぬ前に使用可能なシステムを捜し出すことができないことがある。
【０００４】
現在のサービス外の複数の方法は、予測不可能なバッテリーパワーの性能に結びつくＲＦ／チャネルの複数の状態に依存している。ＲＦ／チャネルの状態への現在の複数の方法の依存により、待機時間の推定は困難である。予測不可能な待機時間は、予測不可能なパワー消費とバッテリー寿命によるユーザの不満に結びつく。
【０００５】
複数の従来の方法は、バッテリーパワーが低い時でさえも、サービスが失われた時に一定の頻度でサーチおよびスリープすることを継続する。従って、おそらくバッテリーは、モバイルデバイスがサービスを再獲得できる前に急速に死ぬであろう。従って、当技術においては、予測可能なバッテリー寿命を達成するシステムおよび方法の必要性があり、それによって、モバイルデバイスがサービス外にいる時に再獲得する性能を向上している。
【発明の概要】
【０００６】
ここに開示される複数の態様は、上に記述される１つまたは複数の問題を解決することと同様に、添付されている複数の図面と関連して考慮される時に、次の詳細な説明への参照によって容易に明白になるであろう追加の複数の特徴を提供することに向けられる。
【０００７】
該開示の１つの態様は、定められたバッテリー寿命を維持しながら無線デバイスのためにシステムを獲得する方法に向けられる。該方法は、定められた状態に入る時に、残っているバッテリーパワーのレベルを決定すること、および無線デバイスが定められた状態にいる間、残っているバッテリーパワーのレベルが、定められたバッテリー寿命の間持続するように複数の獲得する試みのデューティサイクルを設定することを含む。ある複数の態様に従って、例えば、定められた状態はサービス外の状態であることができる。
【０００８】
該開示の別の態様は、定められたバッテリー寿命を維持しながら無線デバイスのためにシステムを獲得するための装置に向けられる。該装置は、定められた状態に入る時に、残っているバッテリーパワーのレベルを決定するように構成されるパワー制御装置、および無線デバイスが定められた状態にいる間、残っているバッテリーパワーのレベルが、定められたバッテリー寿命の間持続するように、複数の獲得する試みのデューティサイクルを設定するように構成されるプロセッサを含む。ある複数の態様に従って、例えば、該状態はサービス外の状態であることができる。
【０００９】
また該開示の別の態様は、定められたバッテリー寿命を維持しながら無線デバイスのためにシステムを獲得するための装置に向けられる。該装置は、定められた状態に入る時に、残っているバッテリーパワーのレベルを決定するための手段、および無線デバイスが定められた状態にいる間、残っているバッテリーパワーのレベルが、定められたバッテリー寿命の間持続するように複数の獲得する試みのデューティサイクルを設定するための手段を含む。ある複数の態様に従って、例えば、該状態はサービス外の状態であることができる。
【００１０】
また該開示の別の態様は、定められたバッテリー寿命を維持しながら無線デバイスのためにシステムを獲得するための複数の命令をその上に格納しているコンピュータ可読媒体に向けられる。該複数の命令は、定められた状態に入る時に、残っているバッテリーパワーのレベルを決定すること、および無線デバイスが定められた状態にいる間、残っているバッテリーパワーのレベルが、定められたバッテリー寿命の間持続するように複数の獲得する試みのデューティサイクルを設定することを含む。ある複数の態様に従って、例えば、該状態はサービス外の状態であることができる。
【００１１】
また該開示の別の態様は、定められたバッテリー寿命を維持しながら無線デバイスのためにシステムを獲得するための複数の命令を実行するように構成されるプロセッサに向けられる。該複数の命令は、定められた状態に入る時に、残っているバッテリーパワーのレベルを決定すること、および無線デバイスが定められた状態にいる間、残っているバッテリーパワーのレベルが、定められたバッテリー寿命の間持続するように、複数の獲得する試みのデューティサイクルを設定することを含む。ある複数の態様に従って、例えば、該状態はサービス外の状態であることができる。
【００１２】
残っているバッテリーパワーのレベルが、所定のバッテリー寿命の間持続するようにデューティサイクルを決定することは、優れたシステムを獲得する性能を提供しながら、ＲＦ／チャネルの状態にかかわらず、予測可能なバッテリー消費を保証する。予測可能なバッテリー寿命を保証することは、例えば、無線デバイスのユーザに、バッテリーが死ぬ前に彼または彼女の位置を変更すること、またはユーザの位置が変わるまでは無線デバイスを一時的にターンオフ（turn off）することを可能にすることができ、それによってサービスが失われた後、システムをより後で獲得する可能性を増加させる。
【００１３】
先の一般的な説明と次の詳細な説明の両方は典型的であり、そしてクレームされる発明の要旨の更なる説明を提供するように意図されることが理解されるべきである。
【図面の簡単な説明】
【００１４】
本開示の複数の特徴、性質および複数の利点は、同じ参照キャラクター（reference characters）が全体に渡って同一と見なされる複数の図面と関連して考慮される時に、下に記載される詳細な説明からより明白になるであろう、およびここにおいて：
【図１】図１は、本開示のある複数の態様に従って、様々な無線システムからサービスを獲得している複数の無線デバイスの概略図。
【図２】図２は、本開示のある複数の態様に従う、無線デバイスの典型的な図。
【図３】図３は、本開示のある複数の態様に従って、所定のバッテリー寿命を維持しながらの、無線デバイスにおける複数の獲得する試みに関する方法を例示しているフロー図。
【図４ａ】図４（ａ）は、本開示のある複数の態様に従って、複数の獲得の試みに関するデユーティサイクルを決定する方法を例示しているフロー図。
【図４ｂ】図４（ｂ）は、本開示のある複数の態様に従って、デューティサイクルのサーチ時間を調整する方法を例示しているフロー図。
【図４ｃ】図４（ｃ）は、本開示のある複数の態様に従って、マイクロスキャンに切り替える方法を例示しているフロー図。
【図５】図５は、本開示のある複数の態様に従って、時間に関連して電流を示している、複数のデューティサイクルの波形図。
【図６】図６は、本開示のある複数の態様に従って、無線デバイス中に格納された典型的な好ましいローミングリストの図。
【発明を実施するための形態】
【００１５】
次の詳細な説明において、多くの特定の詳細は、主題技術の十分な理解を提供するように記載される。しかしながら、主題技術がこれら特定の詳細の一部なしで実施されることができることは、当業者にとって明らかであろう。他の複数の実例では、周知の構造および技術は、主題技術を不明瞭にしないため詳細には示されていない。
【００１６】
「典型的」という言葉は、ここで、「例、または例証を提供する」という意味で用いられる。ここで「典型的」であると記述された何れの態様または設計は、他の態様または設計に対して、必ずしも優先されるあるいは有利であるようには解釈されない。
【００１７】
参照は、主題技術の複数の態様に対して詳細に行われ、それらの複数の例は、全体に渡って同じ参照番号が同じ要素を参照する、添付されている複数の図面において例示される。
【００１８】
ここに開示される複数のプロセスにおいて、複数のステップの特定の順序または階層が、典型的な複数のアプローチの例であることが理解されるべきである。複数の設計の選択に基づいて、本開示の範囲内でありながら、複数のプロセスにおいて複数のステップの特定の順序または階層が、再構成できることが理解される。添付されている複数の方法クレームは、サンプルの順序で様々なステップの複数の構成を示し、また示される特定の順序または階層に限定されることは意図されない。
【００１９】
図１は、本開示のある複数の態様に従って、様々な無線システムからサービスを獲得している複数の無線デバイスの概略図である。図１に描かれるように、無線デバイス１００は、それぞれのカバレッジエリア１１２（ａ）−１１２（ｃ）の内にいる時に、無線通信システム１１０（ａ）−１１０（ｃ）のうちの１つからサービスを獲得する。無線デバイス１００は、カバレッジエリア１１２（ａ）−１１２（ｃ）から出たり入ったりすることができ、それによってそれから無線デバイス１００が離れる無線通信システム１１０（ａ）−１１０（ｃ）に対するサービスを失っている。その時、無線デバイス１００は、無線デバイス１００がそれぞれのカバレッジエリア１１２（ａ）−１１２（ｃ）に入る、無線通信システム１１０（ａ）−１１０（ｃ）によって利用されるチャネルを介してサービスを獲得しなければならない。複数の無線デバイス１００は、例えば、携帯電話、ＰＤＡまたは同様なものを参照することができ、そしてまたモバイルデバイス、ユーザ機器（ＵＥ）、無線通信デバイス、端末、局、モバイル局、モバイル装置（ＭＥ）あるいは何か他の専門用語で呼ばれることができる。
【００２０】
図２は、本開示のある複数の態様に従う、無線デバイス１００の典型的な図である。ある複数の態様に従って、無線デバイス１００は、受信機２００と送信機２１０を含む。無線デバイス１００は更に、メモリ２２０、処理装置２３０、バッテリー２４０およびパワー制御装置２５０を含む。無論、無線デバイス１００は、何れの特定の構成にも限定されず、また複数のコンポーネントの様々な組み合わせと同様に他の複数のコンポーネントが、無線デバイス１００の中に含まれることができる。
【００２１】
図３は、本開示のある複数の態様に従って、定められたバッテリー寿命を維持しながら無線デバイスにおいてシステムを獲得する方法を例示しているフロー図である。図３を参照し、オペレーション３００では、残っているバッテリーパワーのレベルが決定される。何れの従来のメカニズムは、例えば、バッテリー２４０中のどれだけのバッテリーパワーが残っているか、および／またはどれだけのバッテリーパワーが消費されたかを決定するために、パワー制御装置２５０によって用いられることができる。処理装置２３０は、パワー制御装置２５０に加えて、またはその代わりとして、残っているバッテリーパワーのレベルを決定するために使用されることができる。
【００２２】
オペレーション３００から、該プロセスは、残っているバッテリーパワーのレベルが、定められたバッテリー寿命の間持続するように複数の獲得する試みのデューティサイクルが決定されるオペレーション３１０へと継続する。本開示のある複数の態様に従って、デューティサイクルは、サーチ時間とスリープ時間を含む。サーチ時間の間、無線デバイス１００は、様々な可能なスキャニングモード（scanning mode）（下の図４（ａ）−図４（ｃ）への参照と共に詳細に説明される）をインプリメントすることによって、使用可能なシステムをサーチする。例として、バッテリー２４０が完全に充電された時は、デューティサイクルのサーチ時間は５秒間持続することができ、そしてスリープ時間は３６秒間持続することができる。しかしながら、様々なスリープ時間とサーチ時間が、本開示の範囲から逸脱することなく、デューティサイクルを構成するために使用されることができる。
【００２３】
定められたバッテリー寿命は、無線デバイス１００の中に事前プログラム（pre-programmed）され、そしてメモリ２２０に格納されることができる。あるいは、該定められた寿命は、例えば、あたかも残っているバッテリーパワーが完全に充電され、そして無線デバイス１００が５秒のサーチ時間と３６秒のスリープ時間を具備している従来のデューティサイクルを行っていたのと同じ時間の量持続するようにダイナミックであることができる。別の代わりとして、該定められた寿命は、様々な時でユーザによって定められることができる。例えば、ユーザは、彼または彼女がシステムを獲得することがありそうもない遠隔地にいる場合には、バッテリー寿命を延長するように望むことができる。ユーザがサービスを積極的に再獲得したい場合には、ある複数の態様に従って、ユーザはより速くサービスを再獲得するために、該定められた寿命を減らすことを選択することができる。
【００２４】
デューティサイクルは、スリープ時間とサーチ時間のうちの少なくとも１つを調整することによって決定される。図４（ａ）は、本開示のある複数の態様に従って、チャネルをサーチする（channel search）デューティサイクルを決定する方法を例示しているフロー図である。図４（ａ）を参照し、オペレーション４００においてスリープ時間は、サーチ時間と比較してより多い低いパワーのスリープ時間があるように調整される（例えば、延長される）。従って、与えられた時間期間においては、より少数のサーチ時間が存在するようになり、それによって、残っているバッテリーパワーの寿命を延長している。
【００２５】
ある複数の態様に従って、該処理は、オペレーション４００からオペレーション４１０へ進み、そこでサーチ時間は、スリープ時間と比較してより少ない高いパワーのサーチ時間があるように調整される（例えば、短縮される）。従って、与えられた時間期間においては、より少ない時間がサーチング（即ち、より高いパワーレベルのオペレーティング）に費やされるようになり、それによって、残っているバッテリーパワーの寿命を延長している。
【００２６】
無論、図４（ａ）で例示された方法は、単なる１つの例であり、また当業者は、スリープ時間かサーチ時間かのどちらかが、望ましいデューティサイクルを得るため個々に調整されることができることを理解するであろう。あるいは、スリープ時間とサーチ時間の両方が、本開示の範囲から逸脱することなく、調整されることができる。
【００２７】
上に留意されたように、サーチ時間の間無線デバイス１００は、使用可能なシステムをサーチする。複数の獲得のサーチ（acquisition searches）は、異なるモードで行なわれることができる。例えば、該複数のモードは、フルスキャンおよび／またはマイクロスキャンを含むことができる。フルスキャンはより信頼できるが、増加されるパワーと時間の代価を伴う。複数のマイクロスキャンのサーチは、ある複数の弱いシステムを見落とすかもしれないが、より少ない時間とパワーを消費する。
【００２８】
マイクロスキャンは、典型的に高速スキャン（例えば、約１０ｍｓ持続する）であり、その中でチャネルの無線周波数（ＲＦ）のパワーは、パワー制御装置２５０および／または処理装置２３０によって決定される。処理装置２３０は、次にチャネルのＲＦのパワーが所定のしきい値より下であるかどうかを決定し、そしてチャネルのＲＦのパワーが所定のしきい値より下でない場合には、無線デバイス１００は、下に記述されるフルスキャンのようなチャネルの詳細な獲得を使用して、チャネルを介してサービスを獲得するように試みる。
【００２９】
フルスキャンは、典型的に低速スキャン（例えば、約３００ｍｓ持続する）であり、それは一般にマイクロスキャンよりも多くのパワーを要する。フルスキャンでは、無線デバイス１００は、１つまたは複数のチャネルのＲＦのパワーを決定することなく、１つまたは複数のチャネルを介してサービスを獲得するように試みる。即ち、処理装置２３０は、複数のチャネルの状態にかかわらず、１つまたは複数のチャネルの詳細な獲得を行う。
【００３０】
図４（ｂ）は、本開示のある複数の態様に従って、オペレーション４１０で行われたように、デューティサイクルのサーチ時間を調整する方法を例示している典型的なフロー図を示す。図４（ｂ）を参照し、オペレーション４２０において無線デバイス１００は、限られた数の複数のチャネル（例えば、５つのチャネル）の上にフルスキャンをインプリメントすることができる。オペレーション４２０から、該プロセスは、無線デバイス１００が残っているバッテリーパワーを保存するために他の複数のチャネルに対して、より速く、よりパワー効率のよい、マイクロスキャンに切り替えるオペレーション４３０へ継続することができる。マイクロスキャンか、フルスキャンかのどちらかが、全サーチ時間の間行なわれることができるか、あるいはそれらの組み合わせがサーチ時間の間行なわれることができることに留意されたい。
【００３１】
図４（ｃ）は、本開示のある複数の態様に従って、オペレーション４３０で行われたように、マイクロスキャンに切り替える方法を例示している典型的なフロー図を示す。図４（ｃ）を参照し、オペレーション４４０においてチャネルのＲＦのパワーは、パワー制御装置２５０および／または処理装置２３０によって決定される。オペレーション４４０から、該プロセスはオペレーション４５０へ進み、そこにおいて処理装置２３０は、チャネルのＲＦのパワーが所定のしきい値より下であるかどうかを決定する。
【００３２】
オペレーション４５０から、該プロセスはオペレーション４６０へ進み、そこでチャネルのＲＦのパワーが所定のしきい値より下でない場合には、無線デバイス１００は、上に記述されたフルスキャンのようなチャネルの詳細な獲得を使用して、チャネルを介してサービスを獲得するように試みる。無論、チャネルの何れの詳細な獲得も行なわれることができる。
【００３３】
図５は、本開示のある複数の態様に従って、時間に関して電流を示している、複数のデューティサイクルの波形である。図５は、無線デバイス１００が時間ｔａに対して電流Ｉａを使用する複数のサーチ時間５００を示す。複数のスリープ時間５１０の間、無線デバイス１００は、時間ｔｓに対して電流Ｉｓを使用する。１つのデューティサイクルは、時間ｔＤｕｔｙの間持続し、それはｔａ＋ｔｓに等しい。
【００３４】
１つのデューティサイクル（即ち、ｔＤｕｔｙ）の間に無線デバイス１００によって使用される平均電流Ｉａｖｇは、サーチ時間ｔａおよびスリープ時間ｔｓの間に使用される全ての電荷をデューティサイクルの時間ｔＤｕｔｙ（即ち、ｔａ＋ｔｓ）で割ったものに等しくあり、また方程式（１）によって表わされる：
【数１】
0005639048.tif 000002
【００３５】
更に、方程式（２）において示されるように、Ｉａｖｇは、バッテリー２４０内の全ての電荷の残りＱＲｅｍをｔＴｏｔａｌで割ったものに等しくあり、それはバッテリー２４０が死ぬ前に持続すべき、メモリに保存された所定の時間である。
【数２】
0005639048.tif 000003
【００３６】
例示的な例として、ｔａは５秒に固定されることができる。従って、ｔｓは、より少数の複数のサーチ時間５００が生じるが、ｔＴｏｔａｌの間バッテリー２４０が持続するように延長される必要があり、それによってｔＤｕｔｙを延長している。方程式（１）を使用してｔｓについて解くと、ｔｓは方程式（３）で示されるように決定されることができる。
【数３】
0005639048.tif 000004
【００３７】
方程式（２）を方程式（３）のＩａｖｇに代用すると、ｔｓは方程式（４）で示されるように決定されることができる。
【数４】
0005639048.tif 000005
【００３８】
無論、スリープ時間５１０の時間ｔｓを調整することは、デューティサイクルを決定するための単に１つの可能な方法であるにすぎず、また、ｔａは、ｔｓへの何れの調整に加えた同様の仕方において、あるいは代わりとして、調整されることができる。
【００３９】
サーチ時間５００の時間ｔａの間、無線デバイス１００は、図３への参照と共に上に記述されたように、フルスキャンおよび／またはマイクロスキャンを行うことができる。フルスキャンか、マイクロスキャンかのどちらかを使用して、どの複数のチャネルに獲得を試みるかを効率的に決定するために、無線デバイス１００は、無線デバイス１００のメモリ２２０中に格納された好ましいローミングリストを含むことができる。図６は、本開示のある複数の態様に従って、無線デバイス１００のメモリ２２０中に格納された典型的な好ましいローミングリスト６００である。
【００４０】
好ましいローミングリスト６００は、最近使用された（ＭＲＵ：most recently used）リスト６１０を含むことができ、それは無線デバイス１００によって最近獲得されたチャネルＡ、ＢおよびＣを含む。一般に、ＭＲＵリスト６１０上の複数のチャネルは、より高い優先順位を与えられ、従ってフルスキャンおよび／またはマイクロスキャンのために最初に選択される。ある複数の態様に従って、無線デバイス１００は、サーチ時間５００の時間ｔａの間、所定の複数の時間間隔においてＭＲＵリスト６１０上の複数のチャネルのスマートパンクチャリング（smart puncturing）を行うことができる。ＭＲＵリスト６１０上の複数のチャネルを獲得する試みが不成功である場合には、二次的なリスト６２０上のチャネルＤ、ＥおよびＦのフルおよび／またはマイクロスキャンが行われることができる。無論、好ましいローミングリスト上の、ＭＲＵリスト６１０と二次的なリスト６２０は、何れの数のチャネルを含むことができる。
【００４１】
全てのチャネルＡ、Ｂ、Ｃ、Ｄ、ＥおよびＦは、好ましいローミングリスト６００に事前プログラムされ、そしてメモリ２２０に格納されることができる。ＭＲＵリスト６１０と二次的なリスト６２０の両方に載っている複数のチャネルは、例えば、最も高いＲＦのパワーを有する複数のチャネルが、好ましいローミングリスト６００上で最も高い優先順位を与えられるように、チャネル／ＲＦのシグナルの強さに基づいて順序付けられることができる。図３への参照と共に上に記述されたように、ＲＦのパワーは、チャネルを獲得するように試みる前に、各チャネルに対して決定されることができ、そして詳細な獲得は、所定のしきい値より上のＲＦのパワーを有する複数のチャネルに対してのみ試みられるであろう。
【００４２】
更なるバッテリーパワーの保存のために、サーチ時間５００の間、フルスキャンは、好ましいローミングリスト６００上の最も高い優先順位を有する複数のチャネル（例えば、ＭＲＵリスト６１０上の複数のチャネル）のみに限定されることができる。複数のフルスキャンを使用したチャネルの獲得が不成功である場合には、マイクロスキャンが、好ましいローミングリスト６００上の残りの複数のチャネル（例えば、二次的なリスト６２０上の複数のチャネル）上に行われることができる。
【００４３】
更に、ＭＲＵリスト６１０および二次的なリスト６２０の両方に載っている複数のチャネルは、地理的な情報に基づいて順序付けられることができる。例えば、各それぞれのチャネルを使用している複数のシステムの地理的な位置は、事前プログラムされ、そしてメモリ２２０に格納されることができる。各システムの位置は、例えば、無線デバイス１００の位置と比較されることができ、そして最も近い複数のシステムが、好ましいローミングリスト６００上の最も高い優先順位を与えられることができる。無線デバイス１００の位置は、例えば、全地球位置把握システム（ＧＰＳ）のような何れの従来型の位置決めメカニズム（mechanism）を使用して決定されることができる。
【００４４】
例えば、無線デバイス１００に対するサービスが失われた時には、デューティサイクルは、バッテリー２４０が定められた時間の長さに渡って持続するように、スリープ時間５１０の時間ｔｓおよび／またはサーチ時間５００の時間ｔａを調整することによって決定されることができる。本開示は、無線デバイス１００がサービスを失うシナリオに限定されない。本開示の複数の特徴は、現在利用されているチャネルの、複数のチャネルの状態が乏しく（例えば、複数のチャネルの状態が、定められたしきい値より下に落ちる）、そしてよりよい複数の状態を備えた異なるチャネルが望まれる時に、インプリメントされることができる。更に、無線デバイス１００のユーザは、異なるチャネルが望まれる時に、ここに記述されたチャネルを獲得する複数の方法を手動で始めることができる。
【００４５】
デューティサイクルを決定する機能は、優れたシステムを獲得する性能を提供しながら、ＲＦ／チャネルの複数の状態にかかわらず、予測可能なバッテリー消費を保証する。
【００４６】
より少ないパワーが複数のスリープ時間５１０の間消費されるので、例えば、複数のサーチ時間５００の頻度を減少することにより、バッテリー２４０の寿命は増加されるであろう。予測可能なバッテリー寿命を保証することは、無線デバイス１００のユーザに対して、彼または彼女の位置を変更することを可能にすることができ、それによって、一旦サービスが失われると別の無線通信システムによって使用されるシステムを獲得する可能性を増加している。
【００４７】
当業者は、情報および複数の信号が、様々な異なる科学技術および専門技術の何れを使用しても、表されることができることを理解するであろう。例えば、上の記述の全体にわたって参照されることができる、データ、命令、コマンド、情報、信号、ビット、シンボルおよびチップは、電圧、電流、電磁波、磁気のフィールドまたはパーティクル(particles)、光学のフィールドまたはパーティクル、あるいはそれらの何れの組み合わせによって、表わされることができる。
【００４８】
当業者は、ここに開示された複数の実施形態に関連して記述される、様々な例示的な、論理モジュール、回路およびアルゴリズムは、電子ハードウェア、コンピュータソフトウェア、あるいは両方の組み合わせとして、インプリメントされることができることを、更に評価するであろう。明白にハードウェアとソフトウェアのこの互換性を例示するために、様々な例示的なコンポーネント、ブロック、モジュール、回路およびステップは、一般にそれらの機能の点から上に記述されている。そのような機能が、ハードウェアまたはソフトウェアとしてインプリメントされるかどうかは、オーバーオールな（overall）システムに課された、設計の複数の制約および特定のアプリケーションに依存する。当業者は、各々の特定のアプリケーションに対して多様な仕方（ways）において、該記述された機能をインプリメントすることができるが、そのような複数のインプリメンテーションの決定は、本開示の範囲から逸脱すると解釈されるべきではない。
【００４９】
ここに開示される複数の実施形態に関連して記述される、様々な例示的な、論理ブロック、モジュールおよび回路は、一般目的のプロセッサ、デジタルシグナルプロセッサ（ＤＳＰ）、特定用途向け集積回路（ＡＳＩＣ）、フィールドプログラマブル（programmable）ゲートアレー（ＦＰＧＡ）あるいは他のプログラマブル論理デバイス、個別のゲートまたはトランジスタ論理、個別のハードウェアコンポーネント、またはここに記述された複数の機能を行うために設計されたそれらの何れの組み合わせによってインプリメントされるあるいは行われることができる。一般目的のプロセッサは、マイクロプロセッサであることができるが、その代わりにおいて、該プロセッサは、何れの従来のプロセス、制御、マイクロコントローラーまたはステート（state）マシンであることができる。プロセスはまた、例えば、ＤＳＰとマイクロプロセッサの組み合わせ、複数のマイクロプロセッサ、ＤＳＰのコアと結合している１つまたは複数のマイクロプロセッサ、あるいは他の同様な構成の、複数のコンピューティングデバイスの組み合わせとしてインプリメントされることができる。
【００５０】
１つまたは複数の典型的な実施形態では、記述された複数の機能は、ハードウェア、ソフトウェア、ファームウェアあるいはそれらの何れの組み合わせにおいてインプリメントされることができる。ソフトウェアにおいてインプリメントされる場合には、複数の機能は、コンピュータ可読媒体上のコードあるいは１つまたは複数の命令として送信されるあるいは格納されることができる。コンピュータ可読媒体は、１つの場所から別の場所へのコンピュータプログラムの転送を容易にする何れの媒体を含む通信媒体と、コンピュータの記憶媒体との両方を含む。記憶媒体は、コンピュータによってアクセスされることができる何れの利用可能な媒体であることができる。限定としてではなく、例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置のデバイス、あるいは複数のデータ構造または複数の命令の形式をとって望ましいプログラムコードを格納するあるいは運ぶために使用されることができ、並びにコンピュータによってアクセスされることができる何れの他の媒体を具備することができる。また、何れの接続は、コンピュータ可読媒体と厳密には称されることができる。例えば、ソフトウェアが、同軸ケーブル、光ファイバーケーブル、ツイストペア、デジタル加入者回線（ＤＳＬ）、あるいは赤外線、電波、およびマイクロ波のような無線技術を使用して、ウェブサイト、サーバー、あるいは他の遠隔のソースから送信される場合には、その時は、同軸ケーブル、光ファイバーケーブル、ツイストペア、ＤＳＬ、あるいは赤外線、電波、およびマイクロ波のような無線技術は、媒体の定義に含まれる。ここにおいて使用されるように、ディスク（Disk）およびディスク（disc）は、コンパクトディスク（ＣＤ）、レーザーディスク（登録商標）、光ディスク、ディジタルビデオディスク（ＤＶＤ）、フロッピー（登録商標）ディスクおよびブルーレイディスクを含み、ここでディスク（disks）は、通常磁気的にデータを再生し、一方ディスク（discs）は、レーザーを用いて光学的にデータを再生する。上記の複数の組み合わせもまた、コンピュータ可読媒体の範囲内に含まれるべきである。
【００５１】
開示された複数の態様の前の記述は、何れの当業者が、本開示を製造あるいは使用することを可能にするために提供される。これらの態様に対する様々な変更（modification）は、当業者にとっては、容易に（readily）明白であり、そしてここに定められた包括的な（generic）複数の原理は、本開示から逸脱することなく、他の複数の態様へ応用されることができる。従って、本開示は、ここに示される複数の態様に限定されるようには意図されず、ここに開示される複数の原理および複数の新規な特徴と一致する最も広い範囲を与えられるように意図される。
以下に、本願出願の当初の特許請求の範囲に記載された発明を付記する。
［Ｃ１］  下記を具備する、定められたバッテリー寿命を維持しながら無線デバイスにおいてシステムを獲得する方法：
定められた状態に入る時に、残っているバッテリーパワーのレベルを決定すること；および
前記無線デバイスが前記定められた状態にいる間、前記残っているバッテリーパワーのレベルが前記定められたバッテリー寿命の間持続するように、複数の獲得する試みのデューティサイクルを設定すること。
［Ｃ２］  Ｃ１に記載の方法、ここにおいて前記デューティサイクルは、サーチ時間とスリープ時間を具備する。
［Ｃ３］  Ｃ２に記載の方法、ここにおいて前記デューティサイクルを前記決定することは、前記残っているバッテリーパワーのレベルが前記定められたバッテリー寿命の間持続するように、前記スリープ時間を前記サーチ時間と比較して調整することを具備している。
［Ｃ４］  Ｃ２に記載の方法、ここにおいて前記デューティサイクルを前記決定することは、前記残っているバッテリーパワーのレベルが前記定められたバッテリー寿命の間持続するように、前記サーチ時間を前記スリープ時間と比較して調整することを具備している。
［Ｃ５］  Ｃ２に記載の方法、ここにおいて前記デューティサイクルを前記決定することは、前記残っているバッテリーパワーのレベルが前記定められたバッテリー寿命の間持続するように、前記サーチ時間と前記スリープ時間の両方を調整することを具備している。
［Ｃ６］  Ｃ２に記載の方法、ここにおいてフルスキャンとマイクロスキャンのうちの少なくとも１つは、前記サーチ時間の間に行われる。
［Ｃ７］  Ｃ６に記載の方法、ここにおいて前記フルスキャンは下記を具備する：
１つまたは複数のチャネルの無線周波数（ＲＦ）のパワーを決定することなく、前記無線デバイス中に事前に格納された好ましいローミングリスト上の前記１つまたは複数のチャネルを介してサービスを獲得するように試みること。
［Ｃ８］  Ｃ７に記載の方法、ここにおいて前記好ましいローミングリスト上の前記１つまたは複数のチャネルは、前記無線デバイスへの近さに基づいて優先順位をつけられる。
［Ｃ９］  Ｃ７に記載の方法、ここにおいて前記好ましいローミングリスト上の前記１つまたは複数のチャネルは、前記無線デバイスによるそれの最近の使用に基づいて優先順位をつけられる。
［Ｃ１０］  Ｃ６に記載の方法、ここにおいて前記マイクロスキャンは下記を具備する：
チャネルの無線周波数（ＲＦ）のパワーを決定すること；
前記チャネルの前記ＲＦのパワーが、所定のしきい値より下であるかどうかを決定すること；および
前記チャネルの前記ＲＦのパワーが前記所定のしきい値より下でない場合には、前記チャネルを介してサービスを獲得するように試みること。
［Ｃ１１］  Ｃ１０に記載の方法、ここにおいて前記ＲＦのパワーが決定される前記チャネルは、前記無線デバイス中に事前に格納された好ましいローミングリストに基づいて選択される。
［Ｃ１２］  Ｃ１１に記載の方法、ここにおいて前記好ましいローミングリスト上の１つまたは複数のチャネルは、前記無線デバイスへの近さに基づいて優先順位をつけられる。
［Ｃ１３］  Ｃ１１に記載の方法、ここにおいて前記好ましいローミングリスト上の１つまたは複数のチャネルは、前記無線デバイスによるそれの最近の使用に基づいて優先順位をつけられる。
［Ｃ１４］  前記サーチ時間の間に、前記フルスキャンから前記マイクロスキャンに切り替えることを更に具備している、Ｃ６に記載の方法。
［Ｃ１５］  Ｃ１に記載の方法、ここにおいて前記定められた状態は、サービス外の状態である。
［Ｃ１６］  下記を具備する、定められたバッテリー寿命を維持しながら無線デバイスにおいてチャネルを獲得するための装置：
定められた状態に入る時に、残っているバッテリーパワーのレベルを決定するように構成されるパワー制御装置；および
前記無線デバイスが前記定められた状態にいる間、前記残っているバッテリーパワーのレベルが前記定められたバッテリー寿命の間持続するように、複数の獲得する試みのデューティサイクルを設定するように構成されるプロセッサ。
［Ｃ１７］  Ｃ１６に記載の装置、ここにおいて前記デューティサイクルは、サーチ時間とスリープ時間を具備する。
［Ｃ１８］  Ｃ１７に記載の装置、前記残っているバッテリーパワーのレベルが前記所定のバッテリー寿命の間持続するように、前記スリープ時間を前記サーチ時間と比較して調整することによって前記デューティサイクルを決定している前記プロセッサ。
［Ｃ１９］  Ｃ１７に記載の装置、前記残っているバッテリーパワーのレベルが前記所定のバッテリー寿命の間持続するように、前記サーチ時間を前記スリープ時間と比較して調整することによって前記デューティサイクルを決定している前記プロセッサ。
［Ｃ２０］  Ｃ１７に記載の装置、前記残っているバッテリーパワーのレベルが前記所定のバッテリー寿命の間持続するように、前記サーチ時間と前記スリープ時間の両方を調整することによって前記デューティサイクルを決定している前記プロセッサ。
［Ｃ２１］  Ｃ１７に記載の装置、ここにおいてフルスキャンとマイクロスキャンのうちの少なくとも１つは、前記サーチ時間の間に行われる。
［Ｃ２２］  Ｃ２１に記載の装置、ここにおいて前記フルスキャンは、１つまたは複数のチャネルの無線周波数（ＲＦ）のパワーを決定することなく、前記無線デバイス中に事前に格納された好ましいローミングリスト上の前記１つまたは複数のチャネルを介してサービスを獲得するように試みる。
［Ｃ２３］  Ｃ２２に記載の装置、ここにおいて前記好ましいローミングリスト上の前記１つまたは複数のチャネルは、前記無線デバイスへの近さに基づいて優先順位をつけられる。
［Ｃ２４］  Ｃ２２に記載の装置、ここにおいて前記好ましいローミングリスト上の前記１つまたは複数のチャネルは、前記無線デバイスによるそれの最近の使用に基づいて優先順位をつけられる。
［Ｃ２５］  Ｃ２１に記載の装置、ここにおいて前記マイクロスキャンは、チャネルの無線周波数（ＲＦ）のパワーを決定し、前記チャネルの前記ＲＦのパワーが、所定のしきい値より下であるかどうかを決定し、そして前記チャネルの前記ＲＦのパワーが、前記所定のしきい値より下でない場合には、前記チャネルを介してサービスを獲得するように試みる。
［Ｃ２６］  Ｃ２５に記載の装置、ここにおいて前記ＲＦのパワーが決定される前記チャネルは、前記無線デバイス中に事前に格納された好ましいローミングリストに基づいて選択される。
［Ｃ２７］  Ｃ２６に記載の装置、ここにおいて前記好ましいローミングリスト上の１つまたは複数のチャネルは、前記無線デバイスへの近さに基づいて優先順位をつけられる。
［Ｃ２８］  Ｃ２６に記載の装置、ここにおいて前記好ましいローミングリスト上の１つまたは複数のチャネルは、前記無線デバイスによるそれの最近の使用に基づいて優先順位をつけられる。
［Ｃ２９］  前記サーチ時間の間に、前記フルスキャンから前記マイクロスキャンに切り替えるためのプロセッサを更に具備している、Ｃ２１に記載の装置。
［Ｃ３０］  Ｃ１６に記載の装置、ここにおいて前記定められた状態は、サービス外の状態である。
［Ｃ３１］  下記を具備する、定められたバッテリー寿命を維持しながら無線デバイスにおいてチャネルを獲得するための装置：
定められた状態に入る時に、残っているバッテリーパワーのレベルを決定するための手段；および
前記無線デバイスが前記定められた状態にいる間に、前記残っているバッテリーパワーのレベルが前記定められたバッテリー寿命の間持続するように、複数の獲得する試みのデューティサイクルを設定するための手段。
［Ｃ３２］  Ｃ３１に記載の装置、ここにおいて前記デューティサイクルは、サーチ時間とスリープ時間を具備する。
［Ｃ３３］  Ｃ３２に記載の装置、ここにおいてデューティサイクルを決定するための前記手段は、前記残っているバッテリーパワーのレベルが前記所定のバッテリー寿命の間持続するように、前記スリープ時間を前記サーチ時間と比較して調整するための手段を具備している。
［Ｃ３４］  Ｃ３２に記載の装置、ここにおいてデューティサイクルを決定するための前記手段は、前記残っているバッテリーパワーのレベルが前記所定のバッテリー寿命の間持続するように、前記サーチ時間を前記スリープ時間と比較して調整するための手段を具備している。
［Ｃ３５］  Ｃ３２に記載の装置、ここにおいてデューティサイクルを決定するための前記手段は、前記残っているバッテリーパワーのレベルが前記所定のバッテリー寿命の間持続するように、前記サーチ時間と前記スリープ時間の両方を調整するための手段を具備している。
［Ｃ３６］  Ｃ３２に記載の装置、ここにおいてフルスキャンとマイクロスキャンのうちの少なくとも１つは、前記サーチ時間の間に行われる。
［Ｃ３７］  Ｃ３６に記載の装置、ここにおいて前記フルスキャンは、１つまたは複数のチャネルの無線周波数（ＲＦ）のパワーを決定することなく、前記無線デバイス中に事前に格納された好ましいローミングリスト上の前記１つまたは複数のチャネルを介してサービスを獲得するように試みる。
［Ｃ３８］  Ｃ３６に記載の装置、ここにおいて前記好ましいローミングリスト上の前記１つまたは複数のチャネルは、前記無線デバイスへの近さに基づいて優先順位をつけられる。
［Ｃ３９］  Ｃ３６に記載の装置、ここにおいて前記好ましいローミングリスト上の前記１つまたは複数のチャネルは、前記無線デバイスによるそれの最近の使用に基づいて優先順位をつけられる。
［Ｃ４０］  Ｃ３６に記載の装置、ここにおいて前記マイクロスキャンは、チャネルの無線周波数（ＲＦ）のパワーを決定し、前記チャネルの前記ＲＦのパワーが、所定のしきい値より下であるかどうかを決定し、そして前記チャネルの前記ＲＦのパワーが、前記所定のしきい値より下でない場合には、前記チャネルを介してサービスを獲得するように試みる。
［Ｃ４１］  Ｃ４０に記載の装置、ここにおいて前記ＲＦのパワーが決定される前記チャネルは、前記無線デバイス中に事前に格納された好ましいローミングリストに基づいて選択される。
［Ｃ４２］  Ｃ４１に記載の装置、ここにおいて前記好ましいローミングリスト上の１つまたは複数のチャネルは、前記無線デバイスへの近さに基づいて優先順位をつけられる。
［Ｃ４３］  Ｃ４１に記載の装置、ここにおいて前記好ましいローミングリスト上の１つまたは複数のチャネルは、前記無線デバイスによるそれの最近の使用に基づいて優先順位をつけられる。
［Ｃ４４］  前記サーチ時間の間に、前記フルスキャンから前記マイクロスキャンに切り替えるための手段を更に具備している、Ｃ３６に記載の装置。
［Ｃ４５］  Ｃ３１に記載の装置、ここにおいて前記定められた状態は、サービス外の状態である。
［Ｃ４６］  下記を具備する、定められたバッテリー寿命を維持しながら無線デバイスにおいてチャネルを獲得するためにその上に複数の命令を格納しているコンピュータ可読媒体：
定められた状態に入る時に残っているバッテリーパワーのレベルを決定すること；および
前記無線デバイスが前記定められた状態にいる間、前記残っているバッテリーパワーのレベルが前記定められたバッテリー寿命の間持続するように、複数の獲得する試みのデューティサイクルを設定すること。
［Ｃ４７］  Ｃ４６に記載のコンピュータ可読媒体、ここにおいて前記デューティサイクルは、サーチ時間とスリープ時間を具備する。
［Ｃ４８］  Ｃ４７に記載のコンピュータ可読媒体、ここにおいてデューティサイクルを前記決定することは、前記残っているバッテリーパワーのレベルが前記所定のバッテリー寿命の間持続するように、前記スリープ時間を前記サーチ時間と比較して調整することを具備している。
［Ｃ４９］  Ｃ４７に記載のコンピュータ可読媒体、ここにおいてデューティサイクルを前記決定することは、前記残っているバッテリーパワーのレベルが前記所定のバッテリー寿命の間持続するように、前記サーチ時間を前記スリープ時間と比較して調整することを具備している。
［Ｃ５０］  Ｃ４７に記載のコンピュータ可読媒体、ここにおいてデューティサイクルを前記決定することは、前記残っているバッテリーパワーのレベルが前記所定のバッテリー寿命の間持続するように、前記サーチ時間と前記スリープ時間の両方を調整することを具備している。
［Ｃ５１］  Ｃ４７に記載のコンピュータ可読媒体、ここにおいてフルスキャンとマイクロスキャンのうちの少なくとも１つは、前記サーチ時間の間に行われる。
［Ｃ５２］  Ｃ５１に記載のコンピュータ可読媒体、ここにおいて前記フルスキャンは、１つまたは複数のチャネルの無線周波数（ＲＦ）のパワーを決定することなく、前記無線デバイス中に事前に格納された好ましいローミングリスト上の前記１つまたは複数のチャネルを介してサービスを獲得するように試みる。
［Ｃ５３］  Ｃ５１に記載のコンピュータ可読媒体、ここにおいて前記好ましいローミングリスト上の前記１つまたは複数のチャネルは、前記無線デバイスへの近さに基づいて優先順位をつけられる。
［Ｃ５４］  Ｃ５１に記載のコンピュータ可読媒体、ここにおいて前記好ましいローミングリスト上の前記１つまたは複数のチャネルは、前記無線デバイスによるそれの最近の使用に基づいて優先順位をつけられる。
［Ｃ５５］  Ｃ５１に記載のコンピュータ可読媒体、ここにおいて前記マイクロスキャンは、チャネルの無線周波数（ＲＦ）のパワーを決定し、前記チャネルの前記ＲＦのパワーが、所定のしきい値より下であるかどうかを決定し、そして前記チャネルの前記ＲＦのパワーが、前記所定のしきい値より下でない場合には、前記チャネルを介してサービスを獲得するように試みる。
［Ｃ５６］  Ｃ５５に記載のコンピュータ可読媒体、ここにおいて前記ＲＦのパワーが決定される前記チャネルは、前記無線デバイス中に事前に格納された好ましいローミングリストに基づいて選択される。
［Ｃ５７］  Ｃ５６に記載のコンピュータ可読媒体、ここにおいて前記好ましいローミングリスト上の１つまたは複数のチャネルは、前記無線デバイスへの近さに基づいて優先順位をつけられる。
［Ｃ５８］  Ｃ５６に記載のコンピュータ可読媒体、ここにおいて前記好ましいローミングリスト上の１つまたは複数のチャネルは、前記無線デバイスによるそれの最近の使用に基づいて優先順位をつけられる。
［Ｃ５９］  前記サーチ時間の間に、前記フルスキャンから前記マイクロスキャンに切り替えることを更に具備している、Ｃ５１に記載のコンピュータ可読媒体。
［Ｃ６０］Ｃ４６に記載のコンピュータ可読媒体、ここにおいて前記状態は、サービス外の状態である。
［Ｃ６１］  定められたバッテリー寿命を維持しながら無線デバイスにおいてチャネルを獲得するために複数の命令を実行するように構成されるプロセッサ、前記複数の命令は下記を具備する：
定められた状態に入る時に、残っているバッテリーパワーのレベルを決定すること；および
前記無線デバイスが前記定められた状態にいる間、前記残っているバッテリーパワーのレベルが前記定められたバッテリー寿命の間持続するように、複数の獲得する試みのデューティサイクルを設定すること。
［Ｃ６２］  Ｃ６１に記載のプロセッサ、ここにおいて前記デューティサイクルは、サーチ時間とスリープ時間を具備する。
［Ｃ６３］  Ｃ６２に記載のプロセッサ、ここにおいて前記デューティサイクルを決定するための前記複数の命令は、前記残っているバッテリーパワーのレベルが前記所定のバッテリー寿命の間持続するように、前記スリープ時間を前記サーチ時間と比較して調整することを具備している。
［Ｃ６４］  Ｃ６２に記載のプロセッサ、ここにおいて前記デューティサイクルを決定するための前記複数の命令は、前記残っているバッテリーパワーのレベルが前記所定のバッテリー寿命の間持続するように、前記サーチ時間を前記スリープ時間と比較して調整するための手段を具備している。
［Ｃ６５］Ｃ６２に記載のプロセッサ、ここにおいて前記デューティサイクルを決定するための前記複数の命令は、前記残っているバッテリーパワーのレベルが前記所定のバッテリー寿命の間持続するように、前記サーチ時間と前記スリープ時間の両方を調整することを具備している。
［Ｃ６６］  Ｃ６２に記載のプロセッサ、ここにおいてフルスキャンとマイクロスキャンのうちの少なくとも１つは、前記サーチ時間の間に行われる。
［Ｃ６７］  Ｃ６６に記載のプロセッサ、ここにおいて前記フルスキャンは、１つまたは複数のチャネルの無線周波数（ＲＦ）のパワーを決定することなく、前記無線デバイス中に事前に格納された好ましいローミングリスト上の前記１つまたは複数のチャネルを介してサービスを獲得するように試みる。
［Ｃ６８］  Ｃ６６に記載のプロセッサ、ここにおいて前記好ましいローミングリスト上の前記１つまたは複数のチャネルは、前記無線デバイスへの近さに基づいて優先順位をつけられる。
［Ｃ６９］  Ｃ６６に記載のプロセッサ、ここにおいて前記好ましいローミングリスト上の前記１つまたは複数のチャネルは、前記無線デバイスによるそれの最近の使用に基づいて優先順位をつけられる。
［Ｃ７０］  Ｃ６６に記載のプロセッサ、ここにおいて前記マイクロスキャンは、チャネルの無線周波数（ＲＦ）のパワーを決定し、前記チャネルの前記ＲＦのパワーが、所定のしきい値より下であるかどうかを決定し、そして前記チャネルの前記ＲＦのパワーが、前記所定のしきい値より下でない場合には、前記チャネルを介してサービスを獲得するように試みる。
［Ｃ７１］  Ｃ７０に記載のプロセッサ、ここにおいてて前記ＲＦのパワーが決定される前記チャネルは、前記無線デバイス中に事前に格納された好ましいローミングリストに基づいて選択される。
［Ｃ７２］  Ｃ７１に記載のプロセッサ、ここにおいて前記好ましいローミングリスト上の１つまたは複数のチャネルは、前記無線デバイスへの近さに基づいて優先順位をつけられる。
［Ｃ７３］  Ｃ７１に記載のプロセッサ、ここにおいて前記好ましいローミングリスト上の１つまたは複数のチャネルは、前記無線デバイスによるそれの最近の使用に基づいて優先順位をつけられる。
［Ｃ７４］  Ｃ６６に記載のプロセッサ、ここにおいて前記複数の命令は、前記サーチ時間の間に前記フルスキャンから前記マイクロスキャンに切り替えることを更に具備している。
［Ｃ７５］  Ｃ６１に記載のプロセッサ、ここにおいて前記定められた状態は、サービス外の状態である。
【図１】
0005639048.tif 000006
【図２】
0005639048.tif 000007
【図３】
0005639048.tif 000008
【図４ａ】
0005639048.tif 000009
【図４ｂ】
0005639048.tif 000010
【図４ｃ】
0005639048.tif 000011
【図５】
0005639048.tif 000012
【図６】
0005639048.tif 000013